(57)【特許請求の範囲】
【請求項１】
方形の金属製ネットに複数の覆工ブロックを結合して成る覆工ブロックユニットにおいて、帯状シートを長手方向に亘って二つ折りし、該各折りシートの遊離端間に上記方形の金属製ネットの各辺縁を挟持しつつ各辺縁に沿って取り付け、該方形の金属製ネットの各辺縁の二つ折り帯状シートの外縁部を上記方形の金属製ネットの各辺縁から張り出し、該張り出し部を形成する二枚の折りシートに互いに連通する吊り孔を該張り出し部の長手方向に複数設け、該吊り孔を吊り上げ装置による覆工ブロックユニットの吊り上げに供する構成を有すると共に、上記張り出し部を形成する二枚の折りシートに互いに連通する連結孔を該張り出し部の長手方向に複数設け、隣接する覆工ブロックユニットの上記帯状シートの上記張り出し部の外端縁を突き合わせ状態にして、一方の帯状シート張り出し部の連結孔と他方の帯状シート張り出し部の連結孔間に通し掛けする連結バンドを備え、該連結バンドは歯付きバンドの一端に該バンドを挿通する係止ヘッドを一体合成樹脂成形した構造を有し、該連結バンドの歯付きバンドを上記両連結孔に挿通しつつ係止ヘッドに挿通し、該係止ヘッドのバンド挿通孔の内面に設けた歯を歯付きバンドの歯に係合して緩み止めを図り上記隣接する覆工ブロックユニットの連結を図る構成としたことを特徴とする覆工ブロックユニット。
【発明の詳細な説明】
【０００１】
【発明の属する技術分野】
本発明は河川や道路両側の法面又は造成地の法面、或いは平坦面等の施工面の覆工に用いる覆工ブロックユニットに関する。
【０００２】
【従来の技術】
従来より方形のネットやシート（不織布）に複数の覆工ブロックを連結具や接着剤を介して結合して成る覆工ブロックユニットが既知であり、これら覆工ブロックユニットはクレーン等の吊り上げ装置により吊り上げて上記施工面に多数置き敷きするのみで、容易に広面積の覆工工事を行うことができる（文献１，２，３参照）。
【０００３】
而して従来は、上記覆工ブロックユニットを施工面に敷設するに際し、ネットの周縁部（ネットを形成する経線又は緯線）に吊り上げ装置を引っ掛けて吊り上げ、施工面に置き敷きする工法を採っている（文献２）。
【０００４】
又文献４においては不織布等のシートに複数の覆工ブロックを接着剤を介して結合し、このシートにより土砂の吸い出し防止を図る構成を採りながら、このシートの周縁部に吊り上げや連結に使用される孔を設ける構成が示されている。
【０００５】
【特許文献１】
特開平１１−１５８８３９号公報
【０００６】
【特許文献２】
実用新案登録第３０４１５５５号公報
【０００７】
【特許文献３】
特開平  ９−２７３１３１号公報
【０００８】
【特許文献４】
特開平１０−２９２３４８号公報
【０００９】
【発明が解決しようとする課題】
而して文献４に示す如き、シート表面に高重量の覆工ブロックを面接着する構造では充分な取り付け強度が確保できず、脱落の危険を有しており、文献１，２，３に示す如き、各覆工ブロックをネットの経線又は緯線に連結具を介して、或いは経線及び緯線に接着剤を絡ませて強固に取り付ける利点を享受できない。
【００１０】
又各覆工ブロック間においてネットの網目を通して植物の育成を促す利点を享受することができず、自然醸成が求められている河川の護岸工事用等としては不適切である。
【００１１】
更に文献４に示す覆工ブロックの接着付けと土砂の吸い出し防止に適性なシートは、必ずしも吊り上げ強度を充足せず、文献に記載する如き軽量の覆工ブロックへの実用に制限される。
【００１２】
他方文献１乃至３に示すネットに覆工ブロックを結合する覆工ブロックユニットにおいては、上記問題を払拭できるが、吊り上げ装置による吊り上げに際してユニット全体の重量が、吊り上げ装置のフックを引っ掛けた個々の経線又は緯線に加わり、該経線又は緯線の過度のＶ字変形を来し、ひいてはネット全体（ユニット全体）の変形を招来し、適正な方形形状を保って施工面に置き敷きすることが困難になる。
【００１３】
加えて吊り上げ時の重量により、経線又は緯線の断線乃至編み組みのばらけを来し、落下する危険を有している。
【００１４】
【課題を解決するための手段】
本発明は上記覆工ブロックの担体として上記ネットを使用する利点を享受しつつ、該ネットの上記吊り上げに関する欠点を克服し、更には上記担体として吸い出し防止シートを使用し、該シートを吊り上げに供する場合の問題点を適切に解決する覆工ブロックユニットを提供するものである。
【００１５】
この覆工ブロックユニットは、複数の覆工ブロックを結合せる担体として方形の金属製ネットを使用する構成を採りながら、該方形ネットの各辺縁を吊り上げ強度に適性な帯状シートで縁取りし、該各辺縁の帯状シートの外縁部を上記方形ネットの各辺縁から張り出し、該張り出し部に吊り上げ装置による吊り上げに供する吊り孔を設けた構成を採る。
【００１６】
又上記各辺縁の帯状シートの張り出し部に上記吊り孔を設けると共に、隣接する覆工ブロックユニットの帯状シートの張り出し部との連結に供する連結孔を併設する。
【００１７】
上記帯状シートは長手方向に亘って二つ折りし、該各折りシートの遊離端間に上記方形の金属製ネットの各辺縁を挟持しつつ各辺縁に取り付け、この取り付け部から張り出す二枚の折りシートの連結端側の張り出し部に上記吊り孔と連結孔を設ける。
各覆工ブロックユニットは吊り孔を使用して吊り上げ施工面に置き敷きし、隣接する覆工ブロックユニットの上記帯状シートの上記張り出し部の外端縁を突き合わせ状態にして、一方の帯状シート張り出し部の連結孔と他方の帯状シート張り出し部の連結孔間に連結バンドを通し掛けし連結する。
上記連結バンドは歯付きバンドの一端に該バンドを挿通する係止ヘッドを一体合成樹脂成形した構造を有し、該連結バンドの歯付きバンドを上記両連結孔に挿通しつつ係止ヘッドに挿通し、該係止ヘッドのバンド挿通孔の内面に設けた歯を歯付きバンドの歯に係合して緩み止めを図り上記隣接する覆工ブロックユニットの連結を図る。
【００１８】
【発明の実施の形態】
以下本発明に係わる覆工ブロックユニットの実施の形態を図１乃至図５に基づき説明する。
【００１９】
図１，２に示すように、この覆工ブロックユニット１は複数の覆工ブロック２を結合せる担体として方形ネット３を使用する。
【００２０】
そして上記方形ネット３の各辺縁、即ち四辺縁に沿って吊り上げ強度に適性な帯状シート４を取り付ける。即ち縁取りし、該各辺縁の帯状シート４の外縁部を上記方形ネット３の各辺縁から張り出し、図３に示すように、該張り出し部５に吊り上げ装置の吊り手６を掛け止めして吊り上げに供する吊り孔７を設ける。各ユニット１はこの吊り孔７を使用して吊り上げ施工面１４に置き敷きする。又は吊り上げて運搬車に搭載並びに荷下ろしを行う。
【００２１】
又上記各辺縁の帯状シート４の張り出し部５に上記吊り孔７を設けると共に、隣接する覆工ブロックユニット１の帯状シート４の張り出し部５との連結に供する連結孔８を併設する。
【００２２】
図１に示すように、上記吊り孔７は大径孔であり、上記連結孔８は小径孔にし、吊り孔７をコーナー部を含めた帯状シート４の長手方向に複数隔置し、各吊り孔７間に複数の連結孔８を帯状シート４の長手方向に隔置し、選択的に使用可能とする。
【００２３】
上記方形ネット３は経線９と緯線１０とが編み組みされた金属製ネットであり、この方形ネット３は正格子又は斜め格子構造を有する。
【００２４】
上記方形ネット３の一方表面に覆工ブロック２を結合する手段として、前記文献１に示し、且つ図２に示す如き経線９又は／及び緯線１０に通し掛けする引留具１１と、該引留具１１を覆工ブロック２に取り付けるボルト１２から成る連結具１３を用いる。
【００２５】
又は文献２，３に示す如き方形ネット３の経線９と緯線１０に絡ませた接着剤、即ち経線９と緯線１０から成る網目に絡ませた接着剤を介して上記覆工ブロック２を方形ネット３に結合する。
【００２６】
図２に示すように、上記帯状シート４は長手方向に亘って二つ折りし、該各折りシート４ａ，４ｂの遊離端間に上記方形ネット３の各辺縁を挟持しつつ各辺縁に取り付け、この取り付け部から張り出す二枚の折りシート４ａ，４ｂの連結端側の張り出し部５に互いに連通する上記吊り孔７と連結孔８を設ける。上記帯状シート４の取り付けは鋲着又は縫着１８等による。
【００２７】
上記帯状シート４を二つ折り構造にして二枚の折りシート４ａ，４ｂを貫通する吊り孔７と連結孔８を設けることにより吊り上げ強度と連結強度を増強する。
【００２８】
又上記帯状シート４は方形ネット３の各辺縁に一枚ずつ、計４枚の帯状シート４を使用し、各帯状シート４の両端部は方形ネット３の各コーナー部において互いに重ね合わせ一体に鋲着又は縫着１８する。
【００２９】
又は上記方形ネット３の各辺縁に額縁状に縁取りした帯状シート４は、各辺縁において分離した四枚の帯状シート４を用い、方形ネット３のコーナー部において連結した構造にせずに互いに遊離する。
【００３１】
上記帯状シート４は編成布又は非編成布から成り、方形ネット３には制限されずに適性材質の選択が可能である。
【００３２】
上記覆工ブロックユニット１は方形ネット３を以って施工面１４に多数敷設され、広面積の覆工工事を行う。そして図４，図５に示すように、隣接する覆工ブロックユニット１の帯状シート４の外端縁（張り出し部５の外端縁）を突き合わせ状態にし、一方の帯状シート４の張り出し部５の連結孔８と他方の帯状シート４の張り出し部５の連結孔８間に連結バンド１５を通し掛けして連結する。
【００３３】
上記連結バンド１５として既知の結束具を用いる。この結束具は図５に示すように、歯付きバンド１６の一端に該バンド１６を挿通する係止ヘッド１７を一体合成樹脂成形した構造を有し、バンド１６を一方の帯状シート４の張り出し部５の連結孔８と他方の帯状シート４の張り出し部５の連結孔８間に挿通しつつ係止ヘッド１７に挿通し、該係止ヘッド１７のバンド挿通孔の内面に設けた歯をバンド１６の歯に係合して緩み止めする構造を有する。
【００３４】
上記連結バンド１５として上記結束具を用いることにより、覆工ブロックユニット１の敷設現場での連結が容易に且つ迅速に行え、連結強度も大である。
【００３５】
上記覆工ブロックユニット１を敷設する際の吊り上げ荷重は、上記帯状シート４に加わり、該帯状シート４を介して該帯状シート４を取り付けた方形ネット３の経線９又は緯線１０に均等に加わる。
【００３６】
よって方形ネット３の経線９又は緯線１０に吊り上げ装置を引っ掛けて吊り上げする場合の如き、同経線９又は緯線１０の過度の変形、ひいてはユニット１全体の変形を可及的に防止し、より適切な姿勢で施工面１４に敷設することが可能である。
【図面の簡単な説明】
【図１】  Ａは覆工ブロックユニットを一部切欠して示す平面図、Ｂは同底面図。
【図２】  同断面図。
【図３】  上記覆工ブロックユニットの吊り上げ状態を示す正面図。
【図４】  上記覆工ブロックユニットの連結状態を示す要部平面図。
【図５】  同断面図。
【符号の説明】
１…覆工ブロックユニット、２…覆工ブロック、３…方形ネット、４…帯状シート、４ａ，４ｂ…折りシート、５…張り出し部、６…吊り手、７…吊り孔、８…連結孔、９…ネットの経線、１０…ネットの緯線、１１…引留具、１２…ボルト、１３…連結具、１４…施工面、１５…連結バンド、１６…バンド、１７…係止ヘッド、１８…鋲着又は縫着
【図１】
0003667311.tif 000002
【図２】
0003667311.tif 000003
【図３】
0003667311.tif 000004
【図４】
0003667311.tif 000005
【図５】
0003667311.tif 000006